(57)【特許請求の範囲】
【請求項１】
使用者が着座可能な座部と、該座部の後部に設けられる背もたれ部とを有し、
前記背もたれ部内に施療子を備えるマッサージ機構を設け、該マッサージ機構により前記使用者の身体をマッサージするマッサージ機であって、
前記施療子は、熱源を収容して前記使用者に前記熱源からの熱を伝達可能な熱伝達手段と、前記使用者の身体を押圧する揉み玉とを備え、
前記施療子は前記マッサージ機構のアームと接続されるとともに、前記背もたれ部の幅方向に一対並設され、前記揉み玉は、１つの弾性部材から構成され、前記熱伝達手段は揉み玉よりも前記背もたれ部の幅方向内側に突出して設けられて構成されたことを特徴とするマッサージ機。
【請求項２】
請求項１に記載のマッサージ機において、
前記熱伝達手段は、複数の部材にて前記熱源を収容するように構成されたことを特徴とするマッサージ機。
【請求項３】
請求項２に記載のマッサージ機において、
前記熱伝達手段は、該熱伝達手段を構成する複数の部材の内で、前記使用者の身体との対向部位を有する部材に前記熱源が当接するように構成されたことを特徴とするマッサージ機。
【請求項４】
請求項３に記載のマッサージ機において、
前記施療子は、前記背もたれ部の幅方向に一対並設されるものであり、
前記熱伝達手段は、前記熱源よりも前記背もたれ部の幅方向外側に位置する第１収容部材と、前記熱源よりも背もたれ部の幅方向内側に位置する第２収容部材とで構成され、
前記第２収容部材は、前記使用者の身体との前記対向部位を有し、
前記熱源は、前記熱伝達手段に収容する際に、前記対向部位を有する前記第２収容部材と当接するように構成されたことを特徴とするマッサージ機。
【請求項５】
請求項２〜４のいずれか一項に記載のマッサージ機において、
前記熱伝達手段は、前記使用者の身体との対向部位を有する部材の少なくとも一部が他の部位よりも熱伝導率の高い高熱伝導部材で構成されたことを特徴とするマッサージ機。
【請求項６】
請求項２〜５のいずれか一項に記載のマッサージ機において、
前記熱伝達手段は、前記熱伝達手段を構成する複数の部材同士の組み付けの際の位置合わせが可能な位置合わせ部を備えたことを特徴とするマッサージ機。
【請求項７】
請求項１〜６のいずれか一項に記載のマッサージ機において、
前記熱伝達手段と前記熱源との間には衝撃緩衝部材が設けられたことを特徴とするマッサージ機。
【請求項８】
請求項１〜７のいずれか一項に記載のマッサージ機において、
前記熱伝達手段と前記熱源との間には高熱伝導部材が設けられたことを特徴とするマッサージ機。
【発明の詳細な説明】
【技術分野】
【０００１】
本発明は、背もたれ部にマッサージ機構が組み込まれたマッサージ機に関するものである。
【背景技術】
【０００２】
従来、例えば背もたれ部に揉み玉を有するマッサージ機構を組み込んだ椅子型のマッサージ機は、背中のつぼや経絡に揉み玉を当てて所定の動作をさせ、血行を促進させることで肩や背中の凝りを解消させるものであって、従来より提案されており、このようなマッサージ機は一般家庭・公的施設等にも多く普及している。
【０００３】
また、近年のマッサージ機では、人が施すマッサージにより近づけるために、マッサージ機構に熱源を収容する熱伝達手段を設け、揉み玉の押圧動作によるマッサージに加えて人の温もりを付与するものが開発されている（例えば特許文献１参照）。
【０００４】
特許文献１のマッサージ機では、使用者の身体を押圧する揉み玉が、略半球状の２つの弾性部材により熱源を内部に収容した熱伝達手段（ディスク部）を挟持した構成となっている。そして、熱源からの熱は、熱伝達手段を介して使用者の身体に伝達されるようになっている。
【先行技術文献】
【特許文献】
【０００５】
【特許文献１】特開２００８−２８４３３８号公報
【発明の概要】
【発明が解決しようとする課題】
【０００６】
ところで、上記のマッサージ機では、略半球状の２つの弾性部材にて熱伝達手段を挟持した構成されている。つまり、揉み玉が２つの弾性部材からなる分割構造であるため、揉み玉としての剛性及び耐久性の面で改良の余地が残されていた。
【０００７】
本発明は、上記課題を解決するためになされたものであって、その目的は、使用者に対して熱を付与させつつ揉み玉の剛性及び耐久性を高めることが可能なマッサージ機を提供することにある。
【課題を解決するための手段】
【０００８】
上記課題を解決するために、請求項１に記載の発明は、使用者が着座可能な座部と、該座部の後部に設けられる背もたれ部とを有し、前記背もたれ部内に施療子を備えるマッサージ機構を設け、該マッサージ機構により前記使用者の身体をマッサージするマッサージ機であって、前記施療子は、熱源を収容して前記使用者に前記熱源からの熱を伝達可能な熱伝達手段と、前記使用者の身体を押圧する揉み玉とを備え、前記施療子は前記マッサージ機構のアームと接続されるとともに、前記背もたれ部の幅方向に一対並設され、前記揉み玉は、１つの弾性部材から構成され、前記熱伝達手段は揉み玉よりも前記背もたれ部の幅方向内側に突出して設けられて構成されたことをその要旨とする。
【０００９】
この発明では、施療子は、熱源を収容して使用者に熱源からの熱を伝達可能な熱伝達手段と、使用者の身体を押圧する揉み玉とを備え、施療子はマッサージ機構のアームと接続されるとともに、背もたれ部の幅方向に一対並設され、揉み玉は、１つの弾性部材から構成され、熱伝達手段は揉み玉よりも背もたれ部の幅方向内側に突出して設けられて構成される。つまり、従来のように揉み玉を分割して熱伝達手段を挟持する必要なく１部品で揉み玉を構成することができるため、熱伝達手段にて使用者に熱を伝達させつつ揉み玉の剛性及び耐久性を向上させることが可能となる。また、揉み玉の部品点数を抑えることができ、製造時の組み立ての容易性を高くすることができる。
【００１０】
請求項２に記載の発明は、請求項１に記載のマッサージ機において、前記熱伝達手段は、複数の部材にて前記熱源を収容するように構成されたことをその要旨とする。
この発明では、熱伝達手段は、複数の部材にて熱源が収容されるように構成される。このように、熱伝達手段を複数の部材にて構成することで、熱伝達手段の内部に熱源を容易に収容することが可能となる。
【００１１】
請求項３に記載の発明は、請求項２に記載のマッサージ機において、前記熱伝達手段は、該熱伝達手段を構成する複数の部材の内で、前記使用者の身体との対向部位を有する部材に前記熱源が当接するように構成されたことをその要旨とする。
【００１２】
この発明では、熱伝達手段は、この熱伝達手段を構成する複数の部材の内で、使用者の身体との対向部位を有する部材に熱源が当接するように構成される。つまり、熱伝達手段を構成する部材の内で、使用者の身体との対向部位を有する部材と熱源とを当接する構成とすることで、対向部位側に熱源からの熱を積極的に伝達させることができ、熱源からの熱を効率よく伝達させることが可能となる。
【００１３】
請求項４に記載の発明は、請求項３に記載のマッサージ機において、前記施療子は、前記背もたれ部の幅方向に一対並設されるものであり、前記熱伝達手段は、前記熱源よりも前記背もたれ部の幅方向外側に位置する第１収容部材と、前記熱源よりも背もたれ部の幅方向内側に位置する第２収容部材とで構成され、前記第２収容部材は、前記使用者の身体との前記対向部位を有し、前記熱源は、前記熱伝達手段に収容する際に、前記対向部位を有する前記第２収容部材と当接するように構成されたことをその要旨とする。
【００１４】
この発明では、施療子は、背もたれ部の幅方向に一対並設される。熱伝達手段は、熱源よりも背もたれ部の幅方向外側に位置する第１収容部材と、熱源よりも背もたれ部の幅方向内側に位置する第２収容部材とで構成され、第２収容部材には使用者の身体との対向部位が備えられる。そして熱源は、熱伝達手段に収容する際に、第２収容部材と当接するように構成される。このように、対向部位を有する第２収容部材に当接させることで、対向部位側に熱源からの熱を積極的に伝達させることができ、熱源からの熱を効率よく伝達させることが可能となる。また、本発明において、例えば揉み玉を熱伝達手段に幅方向外側から固定する固定部材に熱伝達手段（第１収容部材）からの熱を伝達可能に構成することで、幅方向外側となる第１収容部材から固定部材側に熱源からの熱を効率よく伝達することが可能となる。
【００１５】
請求項５に記載の発明は、請求項２〜４のいずれか一項に記載のマッサージ機において、前記熱伝達手段は、前記使用者の身体との対向部位を有する部材の少なくとも一部が他の部位よりも熱伝導率の高い高熱伝導部材で構成されたことをその要旨とする。
【００１６】
この発明では、熱伝達手段は、使用者の身体との対向部位を有する部材の少なくとも一部がその他の部位よりも高熱伝導部材で構成される。このため、熱源からの熱を熱伝達手段における使用者の身体との対向部位に集中させることが可能となり、効率よく使用者の身体に熱を伝達させることが可能となる。
【００１７】
請求項６に記載の発明は、請求項２〜５のいずれか一項に記載のマッサージ機において、前記熱伝達手段は、前記熱伝達手段を構成する複数の部材同士の組み付けの際の位置合わせが可能な位置合わせ部を備えたことをその要旨とする。
【００１８】
この発明では、熱伝達手段には、熱伝達手段を構成する複数の部材同士の組み付けの際の位置合わせが可能な位置合わせ部が備えられる。このため、熱源を収容する熱伝達手段を構成する部材同士の位置合わせが容易となり、製造時の組み立ての容易性を高めることができる。
【００１９】
請求項７に記載の発明は、請求項１〜６のいずれか一項に記載のマッサージ機において、前記熱伝達手段と前記熱源との間には衝撃緩衝部材が設けられたことをその要旨とする。
【００２０】
この発明では、熱伝達手段と熱源との間には衝撃緩衝部材が設けられるため、熱伝達手段と熱源との間に起こる負荷を抑え、破損等の発生を低減させることができる。
請求項８に記載の発明は、請求項１〜７のいずれか一項に記載のマッサージ機において、前記熱伝達手段と前記熱源との間には高熱伝導部材が設けられたことをその要旨とする。
【００２１】
この発明では、熱伝達手段と熱源との間には高熱伝導部材が設けられるため、熱源と熱伝達手段との間のエアギャップを高熱伝導部材にて小さくでき、熱源から熱伝達手段への熱伝導性を高めることができる。このため、使用者に対して効率よく熱源からの熱を伝達することが可能となる。
【発明の効果】
【００２２】
本発明によれば、使用者に対して熱を付与させつつ揉み玉の剛性及び耐久性を高めることが可能なマッサージ機を提供することができる。
【図面の簡単な説明】
【００２３】
【図１】マッサージ機の概略構成図。
【図２】施療子の正面図。
【図３】施療子の分解斜視図。
【図４】施療子の断面図。
【図５】温度制御について説明するためのブロック図。
【図６】温度制御について説明するためのグラフ。
【図７】（ａ）（ｂ）は、首周辺の施療動作について説明するための説明図。
【図８】（ａ）（ｂ）は、背中周辺の施療動作について説明するための説明図。
【図９】別例におけるヒータユニットについて説明するための説明図。
【図１０】別例おけるヒータユニットについて説明するための説明図。
【図１１】別例おけるヒータユニットについて説明するための説明図。
【発明を実施するための形態】
【００２４】
以下、本発明に関連する参考例を図面に従って説明する。
図１は、参考例のエアマッサージ機を備えたマッサージ機の概略構成を示す。図１に示すように、マッサージ機１０の脚部１１は図示しない床面に載置されるとともに、その脚部１１の上部には使用者が着座可能な座部１２が固定されている。その座部１２の後部には、使用者が背中をもたれ掛けさせるための背もたれ部１３が傾動可能に設けられるとともに、座部１２の前部には使用者の脚を載せることができるオットマン１４が傾動可能に設けられている。また、使用者の腕を置くための肘掛け部１５が背もたれ部１３から座部１２の両側前方にかけて設けられている。
【００２５】
背もたれ部１３は、背もたれ部本体１３ａと、この背もたれ部本体１３ａの前面を覆うカバー部１３ｂとで構成される。背もたれ部本体１３ａは、前面が開口された硬質樹脂材料からなる図示しない本体ケース内に、背もたれ部１３の上下方向に沿って図示しないガイドレールが設けられ、このガイドレールに沿って上下方向に移動可能にマッサージ機構２０が組み付けられている。このマッサージ機構２０には、図示しない各種駆動モータが備えられており、これら各種駆動モータの駆動によってマッサージ機構２０の上下動や、このマッサージ機構２０に備えられる一対の施療子２１による所定の施療動作が行われるようになっている。
【００２６】
図２に示すように、一対の施療子２１は、一対のアーム２２（１つのみ図示）と、アーム２２のそれぞれに設けられるヒータユニット２３と、ヒータユニット２３に接続される揉み玉２４と、この揉み玉２４をヒータユニット２３とで挟持する固定部材２５とを有している。尚、この固定部材２５は熱伝導性の高いアルミニウムにて構成されている。
【００２７】
図３及び図４に示すように、各ヒータユニット２３は、ＰＴＣヒータ３０が第１ケース部材３１及び第２ケース部材３２に挟持されて構成され、一対のアーム２２の幅方向内側に設けられている。尚、各ケース部材３１，３２は、熱伝導性及び剛性の高い材質としてアルミニウムを採用している。
【００２８】
幅方向外側の第１ケース部材３１は、アーム２２にねじ３３ａ，３３ｂにて固定されている。具体的には、幅方向に貫通するアーム２２の大径貫通孔２２ａに第１ケース部材３１の幅方向外側の外表面から更に幅方向外側に突出する突出部３１ａが内挿されるとともに、幅方向に貫通するアーム２２の小径貫通孔２２ｂと第１ケース部材３１の外表面に形成される図示しないねじ孔とが幅方向に重なる態様で、突出部３１ａに形成されるねじ孔３１ｂ及び小径貫通孔２２ｂに対応したねじ孔にねじ３３ａ，３３ｂが螺合されてアーム２２に第１ケース部材３１が固定される。
【００２９】
また第１ケース部材３１の幅方向内側の内表面は、図３及び図４に示すように、ＰＴＣヒータ３０との対応位置の当接部３１ｃが幅方向内側に突出するように形成されている。また、第１ケース部材３１の幅方向内側の内表面には、幅方向内側に突出する突出部３１ｄが計３つ備えられている。
【００３０】
ＰＴＣヒータ３０は、図５に示すようにＰＴＣヒータ３０への印加電流を制御する制御部４０と電気的に接続されている。図３に示すように、ＰＴＣヒータ３０には、電力供給用の電力供給線３５が接続されており、この電力供給線３５は固定部材３６にてＰＴＣヒータ３０との位置関係が変化しないアーム２２に固定されている。また、電力供給線３５は、コネクタ３７を介して前記電力供給線３５とは異なる電力供給線３８と接続され、この電力供給線３８が例えば制御部４０に接続され、この制御部４０にてＰＴＣヒータ３０への印加電流を制御して温度を調整するように構成されている。
【００３１】
第２ケース部材３２は、幅方向外側の内表面の前記ＰＴＣヒータ３０との対応位置に、高熱伝導率且つ弾性を有するシリコン系のゴムパッド４１が設けられている。そして、第２ケース部材３２には、第１ケース部材３１の突出部３１ｄに形成されるねじ孔に対応する計３つの貫通孔３２ａが形成されており、各貫通孔３２ａを挿通させて第１ケース部材３１のねじ孔にねじ３２ｂを螺合させて第１ケース部材３１に第２ケース部材３２が取り付けられている。これにより、図４に示すように第１ケース部材３１の当接部３１ｃ及び第２ケース部材３２のゴムパッド４１にて、ＰＴＣヒータ３０が挟持されてＰＴＣヒータ３０の移動が規制される。このため、ＰＴＣヒータ３０の移動に基づくがたつきを抑えることができる。この時、ゴムパッド４１挟持した際に圧力に応じて弾性変形するように構成されている。つまり、ＰＴＣヒータ３０は第２ケース部材３２に圧接されており、効率よく第２ケース部材３２側に熱を伝達可能に構成されている。
【００３２】
第２ケース部材３２は、使用者の身体をカバー部１３ｂを介して当接する当接部３２ｄが湾曲形状に形成されている。また、この当接部３２ｄは、第１ケース部材３１の略厚み（幅方向長さ）程度、幅方向外側に延出するように形成されており、第２ケース部材３２側にＰＴＣヒータ３０の熱を集約させ、当接部３２ｄ以外への熱の拡散を極力抑えた設計がなされている。尚、第１ケース部材３１及び第２ケース部材３２は当接部３２ｄ以外の部分が極力ＰＴＣヒータ３０の形状に倣った形状とすることが望ましい。
【００３３】
また、第２ケース部材３２の幅方向内側には、温度センサ４２がねじ３２ｅにて固定され、この温度センサ４２は、図５に示すように前記制御部４０に電気的に接続されている。このため、ＰＴＣヒータ３０の熱がヒータユニット２３の外殻である第２ケース部材３２に伝達され、その熱の温度を温度センサ４２にて監視することができるようになっている。
【００３４】
第２ケース部材３２には、幅方向内側に突出する延出部３２ｆが形成されており、その延出方向先端には略四角形状の係合凸部３２ｇが形成されている。第２ケース部材３２の延出部３２ｆには、略円筒状の固定部材２５が外嵌されており、延出部３２ｆに形成されているねじ孔３２ｈにねじ４６が螺合されて固定部材２５の抜け止めがなされている。
【００３５】
固定部材２５は、略円筒状に形成されるとともに、外径が略一定の円筒部２５ａと、この円筒部２５ａの軸方向端部側において外径が拡径される拡径部２５ｂとで構成され、
円筒部２５ａの内側面における軸方向端部側は、第２ケース部材３２の外表面から幅方向内側に突出する延出部３２ｆの係合凸部３２ｇが係合する略四角形状の係合孔２５ｃが形成されている。そして、この係合凸部３２ｇと係合孔２５ｃとが回転方向で係合するため、固定部材２５の回り止めがなされている。
【００３６】
また、固定部材２５を構成する円筒部２５ａの外周面には２つの軸受２４ａ，２４ｂにて回転可能に支持される１つの弾性部材から構成される揉み玉２４が設けられている。このため、従来のように複数の部材で構成した分割タイプの揉み玉と比較して、本参考例の揉み玉２４は１つの部材で構成されるため、揉み玉としての剛性及びその耐久性を高くすることができる。
【００３７】
また、揉み玉２４は、第２ケース部材３２の延出部３２ｆの軸中心から同ケース部材３２の当接部３２ｄまでの距離より僅かに（３ｍｍ程度）大きい半径となるように構成されている。このため、揉み玉２４が使用者の身体とカバー部１３ｂを介して当接する際に、揉み玉２４が接触圧によって変形し、剛体で構成される第２ケース部材３２の当接部３２ｄが使用者に対して軽接触し、極力熱のみを好適に伝達させる構成となっている。また、熱伝達手段を構成する第２ケース部材３２にて弾性部材で構成される揉み玉２４の変形量を所望の範囲に抑えることができるため、揉み玉２４の長寿命化に寄与できる。
【００３８】
また、軸受２４ａ，２４ｂは断熱性を有する材料にて構成されているため、弾性部材から構成される揉み玉２４への熱の伝達が抑制されている。
次に、ヒータユニット２３の温度制御及びそれと並行動作される揉み玉２４による施療動作について図５〜図８を用いて説明する。
【００３９】
制御部４０は、図示しない電源スイッチがオン状態に動作され、例えば温熱施療を含むマッサージコースが操作器にて選択されると、マッサージ機構２０の前記モータを駆動させるとともに、最大出力温度ＴｍａｘのＰＴＣヒータ３０に所定の電流Ａ１を印加する。そして、制御部４０は、温度センサ４２にてＰＴＣヒータ３０の熱が伝達させる第２ケース部材３２の温度を監視し、その温度が上限温度Ｔ１を超えると、電流Ａ１よりも電流値の小さい所定の電流Ａ２をＰＴＣヒータ３０に印加する。そして、制御部４０は、ＰＴＣヒータ３０及び熱伝達手段としての第１及び第２ケース部材３１，３２で構成されるヒータユニット２３が上限温度Ｔ１及び下限温度Ｔ２の範囲内に収まるように温度制御するようになっている。これと並行して、例えば首を中心とした揉み玉２４による施療を行う場合、制御部４０は、図７（ａ）（ｂ）に示すように、マッサージ機構２０のモータを制御して使用者の首の位置までマッサージ機構２０を移動させ、モータにてアームを幅方向に動作させて一対の揉み玉２４による挟み動作を行い、使用者の首の施療を行う。この時、揉み玉２４よりも幅方向内側に突出する固定部材２５が使用者の首とカバー部１３ｂを介して当接し、首に対してＰＴＣヒータ３０からの熱を伝達することができるようになっている。
【００４０】
また、前述のヒータユニット２３の温度制御と並行して、使用者の背中を中心として揉み玉２４による施療を行う場合、制御部４０は、図８（ａ）（ｂ）に示すように、マッサージ機構２０のモータを制御して使用者の背中の位置までマッサージ機構２０を移動させ、モータにてアームを上下・左右（幅方向）・前後に動作させて一対の揉み玉２４による押圧動作等を行い、使用者の背中の施療を行う。このとき、揉み玉２４が弾性変形することで熱伝達手段としてのヒータユニット２３（図２及び図３に示す第２ケース部材３２の当接部３２ｄ）が使用者の背中とカバー部１３ｂを介して当接し、使用者の背中に対してＰＴＣヒータ３０からの熱を伝達することができるようになっている。
【００４１】
上述したように、熱伝達手段としてのヒータユニット２３及び固定部材２５とで使用者の身体に熱を伝達することができるため、従来のマッサージ機と比較して使用者に熱を付与する範囲が広がり、熱源としてのＰＴＣヒータ３０からの熱を好適に伝達させることができるようになっている。また、固定部材２５は揉み玉２４よりも幅方向内側に突出しているため、使用者の首等を挟んでマッサージする際に、この固定部材２５が使用者とカバー部１３ｂを介して接触するため、ＰＴＣヒータ３０からの熱をより好適に伝達させることができるようになっている。また、アーム２２には電力供給線３５が固定されているため、マッサージ機構２０及びその施療子２１（アーム２２）をモータで動作させる際に、マッサージ機構２０及び施療子２１に電力供給線３５が絡まったり、電力供給線３５の屈曲や緊張状態となったりすることが抑えられている。このため、電力供給線３５の断線等の発生を低減させることが可能となっている。
【００４２】
また、揉み玉２４が１つの弾性部材で構成されるため、従来のように揉み玉が分割タイプのものと比較して剛性及び耐久性を高めることができるようになっている。また、アーム２２に熱伝達手段としての第１及び第２ケース部材３１，３２が固定されているため、アーム２２と各ケース部材３１，３２との距離を小さくできるため、アーム２２動作に伴う各ケース部材３１，３２の振動の発生が抑えられている。これにより、各ケース部材３１，３２に収容されるＰＴＣヒータ３０の破損が抑えられている。
【００４３】
次に、本参考例の特徴的な作用効果を記載する。
（１）施療子２１は、マッサージ機構２０のアーム２２と接続されるとともにＰＴＣヒータ３０を収容して使用者にＰＴＣヒータ３０からの熱を伝達可能な第１及び第２ケース部材３１，３２と、使用者の身体を押圧する揉み玉２４とを備える。アーム２２と揉み玉２４との間にＰＴＣヒータ３０を収容した第１及び第２ケース部材３１，３２が設けられて構成される。つまり、従来のように揉み玉を分割して熱伝達手段を挟持する必要なく１部品で揉み玉２４を構成することができるため、熱伝達手段第２ケース部材３２にて使用者に熱を伝達させつつ揉み玉の剛性及び耐久性を向上させることが可能となる。また、揉み玉２４の部品点数を抑えることができ、製造時の組み立ての容易性を高くすることができる。
【００４４】
（２）ＰＴＣヒータ３０は、このＰＴＣヒータ３０に対して電力を供給可能な電力供給線３５が接続され、電力供給線３５は、アーム２２に固定される。ここで、施療子２１を構成するアーム２２はマッサージ機構２０とともに動作したり、揉み玉２４による身体への押圧動作に伴って動作したりする。この時、アーム２２に接続される熱伝達手段としての第１及び第２ケース部材３１，３２はアーム２２と略同様に移動するため、ＰＴＣヒータ３０への電力供給線３５をアーム２２に固定することで、電力供給線３５も一体で動作させることができ、電力供給線３５が屈曲したり緊張状態になったりすることが抑制される。このため、電力供給線３５の断線を低減させることができる。
【００４５】
（３）熱伝達手段を構成する第１及び第２ケース部材３１，３２には、ＰＴＣヒータ３０が収容され、ＰＴＣヒータ３０は、熱伝達手段を構成する第１ケース部材３１に当接するように設けられる。このように第１ケース部材３１とＰＴＣヒータ３０とが当接する構成であるため、ＰＴＣヒータ３０からの熱を第１ケース部材３１側に確実に伝えることができ、第１ケース部材３１とＰＴＣヒータ３０とが当接しない構成と比較して伝熱の際のロスを抑えることができるため、低容量の熱源を使用することが可能となる。
【００４６】
（４）施療子２１は、背もたれ部１３の幅方向に一対並設される。揉み玉２４は、背もたれ部の幅方向内側から第２ケース部材３２に対してねじ４６にて着脱自在な固定部材２５がその第２ケース部材３２に接続されて固定される。固定部材２５は、熱伝達手段としての第２ケース部材３２からの熱を使用者に伝達可能に構成される。このように、揉み玉２４を幅方向内側から第２ケース部材３２に対して着脱自在に接続する固定部材２５にて、第２ケース部材３２からの熱を使用者に対して伝達することで、使用者の身体のより広い範囲に熱を伝達することが可能となる。ここで、一対の揉み玉２４にて使用者の首等を挟むようにしてマッサージを行う場合には、揉み玉２４の幅方向内側の部位で挟むこととなる。このため、使用者の首のマッサージと同時に幅方向内側に設けられる固定部材２５にて、使用者の首に対しても熱を伝達させることができる。また、揉み玉よりも幅方向外側にＰＴＣヒータ３０を収容する第１及び第２ケース部材３１，３２を設けることで、使用者の首等の身体を揉み玉２４にて挟むようなマッサージを行う場合に、その固定部材２５と比較して大きな第１及び第２ケース部材３１，３２が使用者の身体にカバー部１３ｂを会して当接して揉み玉２４とは異なる感触（違和感）を与えるといったことが抑えられる。
【００４７】
（５）第１及び第２ケース部材３１，３２にて熱伝達手段が構成され、これら各ケース部材３１，３２にてＰＴＣヒータ３０が収容されるように構成される。このように、熱伝達手段を第１及び第２ケース部材３１，３２の複数の部材にて構成することで、熱伝達手段の内部にＰＴＣヒータ３０を容易に収容することが可能となる。
【００４８】
（６）熱伝達手段としての第２ケース部材３２とＰＴＣヒータ３０との間には衝撃緩衝部材としてのゴムパッド４１が設けられるため、第１及び第２ケース部材３１，３２とＰＴＣヒータ３０との間に起こる負荷を抑え、ＰＴＣヒータ３０の破損等の発生を低減させることができる。
【００４９】
（７）熱伝達手段としての第２ケース部材３２とＰＴＣヒータ３０との間には高熱伝導部材としてのゴムパッド４１が設けられるため、ＰＴＣヒータ３０と第２ケース部材３２との間のエアギャップをゴムパッド４１にて小さくでき、ＰＴＣヒータ３０から第２ケース部材３２への熱伝導性を高めることができる。このため、使用者に対して効率よくＰＴＣヒータ３０からの熱を伝達することが可能となる。
【００５０】
本発明を具体化した一実施形態について説明する。上記参考例では、ＰＴＣヒータ３０を収容する熱伝達手段としての第１ケース部材３１及び第２ケース部材３２を揉み玉２４の幅方向外側に配置している。この点について、本発明を具体化した一実施形態では、熱伝達手段としての第１ケース部材３１及び第２ケース部材３２を揉み玉２４の幅方向内側に配置する構成としている。この場合、固定部材２５は揉み玉２４よりも幅方向外側に配置することとなる。尚、その他の構成及び作用効果は、上記参考例と同様である。
【００５１】
尚、本発明の実施形態及び参考例は、以下のように変更してもよい。
・上記実施形態及び参考例では、熱伝達手段としての第１ケース部材３１の当接部３１ｃ及び第２ケース部材３２に設けられるゴムパッド４１にて、ＰＴＣヒータ３０が挟持されＰＴＣヒータ３０のがたつきを抑える構成としたが、これに限らず、他の部材を介してＰＴＣヒータ３０のがたつきを抑える構成を採用してもよい。
【００５２】
・上記実施形態及び参考例では、第２ケース部材３２とＰＴＣヒータ３０との間に衝撃緩衝部材及び高熱伝導部材としてのゴムパッド４１を介在させる構成としたが、熱伝導グリスや皿ばね等、その他の部材を介在させる構成を採用してもよい。
【００５３】
また、第２ケース部材３２とＰＴＣヒータ３０とを直接当接させる構成を採用してもよい。つまり、ＰＴＣヒータ３０を幅方向内側の第２ケース部材３２と当接させることで、熱伝達の際の間隙や他の部材を介在させることによる熱伝達効率の低下を抑え、当接部３２ｄ及び固定部材２５側に効率よく熱を伝達させることができる。
【００５４】
・上記実施形態及び参考例では、特に言及していないが、例えば図９に示すように、ＰＴＣヒータ３０を収容する第１収容部材５０の第２収容部材５１との対向面５０ａに凹部５０ｂを形成し、第２収容部材５１の第１収容部材５０との対向面５１ａに前記凹部５０ｂに対応する凸部５１ｂを形成した構成を採用してもよい。そして、これら凸部５１ｂ及び凹部５０ｂにて各収容部材５０，５１の位置決めを行うことができる。このため、ＰＴＣヒータ３０を収容する熱伝達手段を構成する第１収容部材５０及び第２収容部材５１の位置合わせが容易となり、製造時の組み立ての容易性を高めることができる。
【００５５】
・上記実施形態及び参考例では、第１及び第２ケース部材３１，３２とで熱伝達手段を構成したが、図１０に示すように、ＰＴＣヒータ３０を挟持する２つの平板状の収容部５５を略円盤状のディスク部５６の径方向外側から内側にかけて形成される挿入穴部５６ａに挿入する構成を採用してもよい。また、収容部５５の所定位置に貫通孔５５ａを形成するとともに、このディスク部５６に収容部５５を収容した際に前記貫通孔５５ａと軸方向に対応する貫通孔５６ｂを形成し、これら貫通孔５５ａ，５６ｂに位置合わせピン５７を挿入して収容部５５及びディスク部５６の位置合わせを行う構成を採用してもよい。
【００５６】
また、図１１に示すように、ディスク部５６の挿入穴部５６ａと、この挿入穴部５６ａに挿入されるＰＴＣヒータ３０を挟み込むように収容した収容部５８とをテーパ形状に形成、具体的には挿入方向下流側であるディスク部５６の径方向中心側ほど先細となるテーパ形状に形成し、挿入穴部５６ａに収容部５８を挿入することで収容部５８及び挿入穴部５６ａが嵌合して位置決めがなされる構成を採用してもよい。
【００５７】
・上記実施形態及び参考例では、特に言及していないが、使用者の身体との対向部位である当接部３２ｄをその他の部位よりも熱伝導率の高い熱伝導部材で構成してもよい。例えば、当接部３２ｄをアルミニウムで構成し、その他の部位を樹脂などで構成することで、ＰＴＣヒータ３０からの熱を第１及び第２ケース部材３１，３２における使用者の身体との対向部位である当接部３２ｄに集中させることが可能となる。このため、効率よく使用者の身体に熱を伝達させることが可能となる。
【００５８】
・上記実施形態及び参考例では、第１ケース部材３１及び第２ケース部材３２を高熱伝導部材であるアルミニウムで構成したが、これに限らず、金や銅などの金属をはじめ熱伝導率の高いその他の部材を用いる構成を採用してもよい。
【００５９】
・上記実施形態及び参考例では、ＰＴＣヒータ３０に接続される電力供給線３５をアーム２２に固定する構成としたが、これに限らず、アーム２２に固定しない構成であってもよい。
【００６０】
・上記実施形態及び参考例では、熱源としてのＰＴＣヒータ３０に電力を供給する電力供給線３５，３８をコネクタ３７にて中継して制御部４０とＰＴＣヒータ３０とが電気的に接続されるように構成したが、これに限らず、例えばコネクタ３７を省略するとともに１種類の電力供給線にて制御部４０とＰＴＣヒータ３０とが電気的に接続されるように構成してもよい。
【００６１】
・上記実施形態及び参考例では、固定部材２５を熱伝導効率の高い材質であるアルミニウムを用いて構成したが、その他の材質を用いてもよく、断熱性を有する材質であってもよい。
【００６２】
・上記実施形態及び参考例では、固定部材２５の外径は揉み玉２４の外径よりも僅かに小さくなるよう構成したが、これに限らない。
・上記実施形態及び参考例では、第１ケース部材３１及び第２ケース部材３２の材料としてアルミニウムを採用したが、その他の材料にて各ケース部材３１，３２を採用してもよい。尚、幅方向内側に配設される第２ケース部材３２の材料を第１ケース部材３１の材料よりも熱伝導率の高い材料を使用することでヒータ３０の熱を第２ケース部材３２側に効率よく伝達することができる。
【００６３】
・上記実施形態及び参考例では、固定部材２５を揉み玉２４より背もたれ部１３の幅方向内側に突出する構成としたが、これに限らない。
・上記実施形態及び参考例では、特に言及していないが、延出部３２ｆと円筒部２５ａとを嵌合させる際にその寸法精度が高くして密着性を高め、固定部材２５側への熱電動効率を高くすることができる。また、延出部３２ｆと円筒部２５ａとの間に一定の間隙（空気層）を設け、その間隙を埋める熱伝導グリス等の熱伝達部材を介在させる構成を採用してもよい。
【００６４】
・上記実施形態及び参考例では、ヒータユニット２３の熱源としてＰＴＣヒータ３０を用いた構成を採用したが、これ以外の熱源を採用してもよい。
・上記実施形態及び参考例では、揉み玉２４を軸受２４ａ，２４ｂにて円筒部２５ａを中心に回転可能に構成したが、回転不能に構成してもよい。
【００６５】
・上記実施形態及び参考例では、特に言及していないが、カバー部１３ｂと摺接する揉み玉２４の摺接面にグリス等の潤滑剤を塗布する構成を採用してもよい。このような構成とすることで、揉み玉２４とカバー部１３ｂとの摩擦を抑えることができ、揉み玉２４及びカバー部１３ｂの耐久性能を向上させることが可能となる。
【００６６】
・上記実施形態及び参考例では、特に言及していないが、オットマン１４や座部１２上面にエアバッグ等のマッサージ手段を設けてもよい。
・上記実施形態及び参考例では、背もたれ部１３を傾動可能に構成したが、背もたれ部１３を傾動不能とした構成を採用してもよい。
【００６７】
・上記実施形態及び参考例では、座部１２の前部にオットマン１４を設ける構成としたが、オットマン１４を省略した構成を採用してもよい。
【符号の説明】
【００６８】
１０…マッサージ機、１２…座部、１３…背もたれ部、２０…マッサージ機構、２１…施療子、２２…アーム、２４…揉み玉、２５…固定部材、２５ａ…円筒部（延出軸及び延出部）、３０…ＰＴＣヒータ（熱源）、３１…第１ケース部材（熱伝達手段及び第１収容部材）、３２…第２ケース部材（熱伝達手段及び第２収容部材）、３２ｄ…当接部（対向部位）、３５…電力供給線、４１…ゴムパッド（衝撃緩衝部材及び高熱伝導部材）、５０…第１収容部材、５０ｂ…凹部（位置合わせ部）、５１…第２収容部材、５１ｂ…凸部（位置合わせ部）、５５ａ，５６ｂ…貫通孔（位置合わせ部）、５７…位置合わせピン（位置合わせ部）。
【図１】
0005485443.tif 000002
【図２】
0005485443.tif 000003
【図３】
0005485443.tif 000004
【図４】
0005485443.tif 000005
【図５】
0005485443.tif 000006
【図６】
0005485443.tif 000007
【図７】
0005485443.tif 000008
【図８】
0005485443.tif 000009
【図９】
0005485443.tif 000010
【図１０】
0005485443.tif 000011
【図１１】
0005485443.tif 000012